(57)【要約】【課題】ヘッド位置決め精度を向上させることができるディスクドライブ装置を提供する。【解決手段】  モータにより回転駆動されて情報を記録するディスク６と、ディスク６を収納するケース２と、ディスク６に記録された情報を再生または情報を記録するヘッド部を支持するキャリッジアーム１３と、キャリッジアーム１３をディスク半径方向に回動および位置決めするキャリッジアッセンブリ８と、ケース２内のディスク６の外周部又は外周部近傍の領域で、キャリッジアーム１３の移動による移動軌跡を妨げない位置に設置され、ディスク６の回転時に外周部又は外周部近傍で流れる流体の方向をディスク中心側に変更するガイド部材と、を備える。【選択図】        図３
2007164870.tif 000002
【特許請求の範囲】
【請求項１】
モータにより回転駆動されて情報を記録するディスクと、
前記ディスクを収納するケースと、
前記ディスクに記録された前記情報を再生または情報を記録するヘッド部を支持するキャリッジアームと、
前記キャリッジアームを前記ディスク半径方向に回動および位置決めするキャリッジ駆動機構と、
前記ケース内の前記ディスクの外周部又は外周部近傍の領域で、前記キャリッジアームの移動による移動軌跡を妨げない位置に設置され、前記ディスクの回転時に外周部又は外周部近傍で流れる流体の方向をディスク中心側に変更する案内部材と、
を備えることを特徴とするディスクドライブ装置。
【請求項２】
前記ケースは、前記ディスクの前記外周部より外側の領域で前記キャリッジアームが移動する移動軌跡以外の領域において、前記ディスクの外周部より小さい曲率で前記外周部に沿って設けられた内壁を有し、
前記案内部材は、前記ディスクが有する前記内壁から突出して設けられている、
ことを特徴とする請求項１に記載のディスクドライブ装置。
【請求項３】
前記案内部材は、前記ディスク側に向けて配置された案内面が前記内壁より大きい曲率で形成され、前記案内部材に対してディスク回転方向の上流に位置する前記内壁の壁面と該案内面とが連続する面を形成している、
ことを特徴とする請求項２に記載のディスクドライブ装置。
【請求項４】
前記案内部材は、前記ディスクの中心方向に向けて凸形状で形成されている、
ことを特徴とする請求項１又は２に記載のディスクドライブ装置。
【請求項５】
前記案内部材は、前記キャリッジアームに対してディスク回転方向の上流側、且つ前記キャリッジアームを回動させる前記キャリッジ駆動機構が有する回動軸の近傍の位置に設置されていること、
を特徴とする請求項２乃至４のいずれか一つに記載のディスクドライブ装置。
【請求項６】
前記案内部材は、前記ディスク面に延出している、
ことを特徴とする請求項１乃至５のいずれか一つに記載のディスクドライブ装置。
【請求項７】
前記案内部材と、前記ケースで前記ディスクに沿って設けられた内壁と、が一体として形成されていること、
を特徴とする請求項１乃至６のいずれか一つに記載のディスクドライブ装置。
【発明の詳細な説明】
【技術分野】
【０００１】
本発明は、ディスクドライブ装置に係り、特に、ディスクドライブ装置、例えば、ＨＤＤ装置（ハードディスクドライブ装置）のケーシングの改良に関する。
【背景技術】
【０００２】
近年の情報処理技術の急速な発展に伴い、ディスクドライブ装置、例えば、ＨＤＤ装置（ハードディスクドライブ装置）においても、記録媒体（ディスク）の記録密度の向上並びに記録媒体（ディスク）への記録速度の向上がますます求められている。このため記録媒体（ディスク）を検索する記録ヘッドの位置決め精度が非常に重要な問題となっている。
【０００３】
しかしながら、ディスクドライブ装置内の狭い空間でディスクが高速回転されるため、内部の空気流速が最大数十ｍ／ｓ以上になっている箇所があり、風乱と呼ばれる内部の気流の乱れがヘッド位置決め精度に大きな影響を与えている。
【０００４】
そこで、このような問題を解決すべく、各部品形状を変えて問題を回避するようにしているが、今後さらに高速化・高密度化が進むことが予想され、風乱を低減し、位置決め精度を向上することが必要とされている。
【０００５】
特許文献１には、記録媒体としてのディスクに略平行に円形の整流板をケース内に設け、ディスクフラッタと称されるディスクのばたつきを防ぎ、ヘッドの位置決め精度を向上させる手法が提案されている。
【０００６】
また、特許文献２には、ディスク表面に沿って生成される気流の乱れをランプ部材と一体化させた整流板によって抑制する手法が提案されている。
【０００７】
【特許文献１】特開２００４−１８５６６６号公報
【特許文献２】特開２００４−１７１６７４号公報
【発明の開示】
【発明が解決しようとする課題】
【０００８】
ところで、数値解析の結果によれば、回転するディスクにより発生する空気の流れは、ディスクの外周の円弧で流速が最大となる。そして、この空気の流れは、ディスクの外周を読み書きする時に、キャリッジアーム及びキャリッジアームで支持されている記録ヘッドを横切る。すなわち、この流れによる流体力は、ディスクの外周を読み書きする際に、記録ヘッドを支持するキャリッジアームを振動させていることになる。しかしながら、前述したような特許文献１および２に提案された手法では、この流れを抑制することは困難である。
【０００９】
本発明は、上記に鑑みてなされたものであって、ディスクの外周を読み書きする時のキャリッジアームにかかる流体力を抑制してキャリッジアームの振動を抑えて、ヘッド位置決め精度を向上させることができるディスクドライブ装置を提供することを目的とする。
【課題を解決するための手段】
【００１０】
上述した課題を解決し、目的を達成するために、本発明は、モータにより回転駆動されて情報を記録するディスクと、前記ディスクを収納するケースと、前記ディスクに記録された前記情報を再生または情報を記録するヘッド部を支持するキャリッジアームと、前記キャリッジアームを前記ディスク半径方向に回動および位置決めするキャリッジ駆動機構と、前記ケース内の前記ディスクの外周部又は外周部近傍の領域で、前記キャリッジアームの移動による移動軌跡を妨げない位置に設置され、前記ディスクの回転時に外周部又は外周部近傍で流れる流体の方向をディスク中心側に変更する案内部材と、を備えることを特徴とする。
【発明の効果】
【００１１】
本発明によれば、ディスク外周部又は外周部近傍を流れる流体の方向をディスク中心側に変更するので、キャリッジアームを横切る空気の流速が低下させることで、キャリッジアームにかかる流体力を抑制してキャリッジアームの振動を低減させることができるので、キャリッジアームが支持しているヘッドのヘッド位置決め精度を向上させることができるという効果を奏する。
【発明を実施するための最良の形態】
【００１２】
以下に添付図面を参照して、この発明にかかるディスクドライブ装置の最良な実施の形態を詳細に説明する。なお、後述する実施の形態はディスクドライブ装置としてハードディスクドライブ装置（以下、ＨＤＤと称する）を適用した例とする。
【００１３】
（第１の実施の形態）
図１は、第１の実施の形態にかかるＨＤＤ１の内部を示す平面図である。また、図２は、図１のＡ−Ｂにおける断面図である。図１および図２に示すように、ＨＤＤ１は、ケース２内に配設された記憶媒体である磁気ディスク６ａ，６ｂ、磁気ディスク６ａ，６ｂを支持および回転駆動するスピンドルモータ５、磁気ヘッド部７を支持したキャリッジアッセンブリ８、キャリッジアッセンブリ８を駆動するボイスコイルモータ（以下ＶＣＭと称する）９、基板ユニット１１等を備えている。
【００１４】
ケース２は、磁気ディスク６ａ，６ｂと略同形状に形成された円形の内壁３ａを有しているとともに上面の開口した矩形箱状のベース３と、複数のねじによりベースにねじ止めされてベースの上端開口を閉塞したトップカバー４と、を有している。ケース２内には、ベース３の底部３ｂに取り付けられたスピンドルモータ５と、このスピンドルモータ５によって支持および回転駆動される２枚の磁気ディスク６ａ，６ｂとが配設されている。
【００１５】
内壁３ａは、より詳細には、磁気ディスク６ａ，６ｂの外周の円弧と同心で、かつ、半径が磁気ディスク６ａ，６ｂの外周の円弧より大きい円弧形状に形成されていて磁気ディスク６ａ，６ｂの外周を覆う。そして、内壁３ａは、後述する軸受部１２の近傍でキャリッジアーム１３の移動軌跡を妨げない位置に、ガイド部材１００が設けられている。
【００１６】
また、ガイド部材１００は、ディスク６の回転時に、ディスク６の外周部又は外周部近傍を流れる空気の方向を、ディスク６の中心側に変更するために設けられたものであり、詳細については後述する。
【００１７】
また、ケース２内には、磁気ディスク６ａ，６ｂに対して情報の記録、再生を行なう複数の磁気ヘッド部７、これらの磁気ヘッド部７を磁気ディスク６ａ，６ｂに対して移動自在に支持したキャリッジアッセンブリ８、キャリッジアッセンブリ８をディスク半径方向に回動および位置決めするキャリッジ駆動機構を構成するＶＣＭ９、磁気ヘッド部７が磁気ディスク６ａ，６ｂの最外周に移動した際、磁気ヘッド部７を磁気ディスク６ａ，６ｂから離間した退避位置に保持するランプロード機構１０、およびプリアンプ等を有する基板ユニット１１が収納されている。
【００１８】
すなわち、ケース２内は、磁気ディスク６ａ，６ｂを収納するディスク収納部２ａと、キャリッジアッセンブリ８を収納するキャリッジ収納部２ｂとから構成されている。なお、ケース２のベース３においては、キャリッジアッセンブリ８を磁気ディスク６ａ，６ｂ上に挿入させるために、内壁３ａが設けられていない箇所Ｘがある。つまり、この内壁３ａが設けられていない箇所Ｘは、ディスク収納部２ａとキャリッジ収納部２ｂとの境界に位置することになる。
【００１９】
また、特に図示しないが、ベース３の底部３ｂ外面には、基板ユニット１１を介してスピンドルモータ５、ＶＣＭ９、および磁気ヘッド部７の動作を制御するプリント回路基板がねじ止めされている。
【００２０】
図１および図２に示すように、キャリッジアッセンブリ８は、ベース３の底部３ｂ上に固定された軸受部１２と、軸受部１２から延出した複数のキャリッジアーム１３と、を備えている。これらのキャリッジアーム１３は、磁気ディスク６ａ，６ｂの表面と平行に、かつ、互いに所定の間隔を置いて位置しているとともに、軸受部１２から同一の方向へ延出している。また、キャリッジアッセンブリ８は、弾性変形可能な細長い板状のサスペンション１４を備えている。サスペンション１４は、板ばねにより構成され、その基端がスポット溶接あるいは接着によりキャリッジアーム１３の先端に固定され、キャリッジアーム１３から延出している。なお、各サスペンション１４は対応するキャリッジアーム１３と一体に形成されていてもよい。サスペンション１４の延出端には磁気ヘッド部７が取り付けられている。
【００２１】
磁気ヘッド部７は、ほぼ矩形状のスライダとこのスライダに形成された記録再生用のＭＲ（磁気抵抗）ヘッドとを有し（いずれも図示せず）、サスペンション１４の先端部に形成されたジンバル部（図示せず）に固定されている。それぞれサスペンション１４に取り付けられた４つの磁気ヘッド部７は、２個ずつ互いに向かい合って位置し、各磁気ディスク６ａ，６ｂを両面側から挟むように配設されている。
【００２２】
キャリッジアッセンブリ８は、軸受部１２からキャリッジアーム１３と反対の方向へ延出した支持枠１５を有し、この支持枠１５により、ＶＣＭ９の一部を構成するボイスコイル１６が支持されている。支持枠１５は、合成樹脂によりボイスコイル１６の外周に一体的に成形されている。ボイスコイル１６は、ベース３上に固定された一対のヨーク１７間に位置し、これらのヨーク１７、および一方のヨーク１７に固定された図示しない磁石とともにＶＣＭ９を構成している。そして、ボイスコイル１６に通電することにより、軸受部１２の回りでキャリッジアッセンブリ８が回動し、磁気ヘッド部７は磁気ディスク６ａ，６ｂの所望のトラック上に移動および位置決めされる。
【００２３】
ランプロード機構１０は、ベース３の底部３ｂに設けられているとともに磁気ディスク６ａ，６ｂの外側に配置されたランプ１８と、各サスペンション１４の先端から延出したタブ１９と、を備えている。キャリッジアッセンブリ８が回動し、磁気ヘッド部７が磁気ディスク６ａ，６ｂの外側の退避位置まで回動する際、各タブ１９は、ランプ１８に形成されたランプ面と係合し、その後、ランプ面の傾斜によって引き上げられ、磁気ヘッド部７をアンロードする。
【００２４】
図１および図２に示すように、磁気ディスク６ａ，６ｂは、例えば直径６５ｍｍ（２．５インチ）に形成され、その中央部に内孔２０を有し、上面および下面に磁気記録層を有している。スピンドルモータ５は、ロータとして機能するハブ２１を備え、このハブ２１に、２枚の磁気ディスク６ａ，６ｂが互いに同軸的に嵌合され、ハブ２１の軸方向に沿って所定の間隔をおいて積層されている。そして、磁気ディスク６ａ，６ｂは、スピンドルモータ５により所定の速度でハブ２１と一体に回転駆動される。
【００２５】
詳細に説明すると、スピンドルモータ５のハブ２１は上端が閉塞した円筒状に形成されている。ハブ２１の内側には、スピンドル軸２２が同軸的かつハブ２１と一体的に設けられている。また、ベース３の底部３ｂには、ケース２の内側に向かって突出した円筒部２３が一体に形成され、この円筒部２３の内周に軸受部２４が嵌合されている形成されている。そして、スピンドル軸２２は軸受部２４に挿入された状態で回転自在に支持されている。これにより、ハブ２１は、ケース２内の所定位置に配置されている。軸受部２４の外周部にはステータ２５が設けられ、また、ハブ２１の内周には磁石２６が同軸的に設けられステータ２５と隙間を置いて対向している。
【００２６】
ハブ２１の下端部外周には、フランジ状のディスク受け部２７が形成されている。２枚の磁気ディスク６ａ，６ｂは、その内孔２０にハブ２１が挿通された状態でハブ２１の外周面に嵌合され、ディスク受け部２７上に積層されている。
【００２７】
また、ハブ２１の外周にはスペーサリング２８が嵌合され、磁気ディスク６ａ，６ｂ間に挟まれた状態で積層されている。また、ハブ２１の上端面は、ねじ２９によってディスククランパ３０がねじ止めされている。このディスククランパ３０の外周部は上段の磁気ディスク６ａの中央部上面に当接し、２枚の磁気ディスク６ａ，６ｂおよびスペーサリング２８をハブ２１のディスク受け部２７に向かって押圧している。それにより、磁気ディスク６ａ，６ｂおよびスペーサリング２８は、ディスク受け部２７とディスククランパ３０との間に挟持され、互いに密着した状態でハブ２１に固定保持されている。そして、ディスククランパ３０は、ハブ２１および磁気ディスク６ａ，６ｂと一体に回転駆動される。
【００２８】
このような構成により、ＨＤＤ１は、磁気ディスク６ａ，６ｂをスピンドルモータ５で高速に回転させるとともに、磁気ヘッド部７を備えたキャリッジアッセンブリ８（キャリッジアーム１３）をＶＣＭ９によりディスク半径方向に回動および位置決めすることにより、磁気ヘッド部７で磁気ディスク６ａ，６ｂに対してデータを読み書きすることが可能になっている。
【００２９】
図３は、ＨＤＤ１の内壁３ａに設置されたガイド部材１００の説明する概略構成図である。本図に示すように、ＨＤＤ１のベース３ではディスク６の外周部に沿って、ディスク６より小さい曲率の円弧による内壁３ａが形成されている。また、当然ながら、この内壁３ａは、キャリッジアーム１３が移動する移動軌跡上では形成されていない。そして、内壁３ａとディスク６の外周部の間に所定の間隔が設けられている。そして、この間隔にガイド部材１００が設置されている。
【００３０】
そして、図３に示すように、ベース３の内側のキャリッジアーム１３の移動軌跡上の領域では、キャリッジアーム１３が移動する空間を確保するために、ベース３の内側から外側へ凹形状３０１が形成されている。これにより、キャリッジアーム１３は、ディスク６に対して読み書きを行うために、ベース３内を移動することができる。
【００３１】
そして、ガイド部材１００は、キャリッジアーム１３に対してディスク回転方向の上流側となる内壁３ａで、軸受部１２の近傍となるベース３の凹形状３０１に近接する位置に設置されている。つまり、ガイド部材１００は、キャリッジアーム１３の移動を妨げず、キャリッジアーム１３に最も近接する位置に設置される。そして、ガイド部材１００がキャリッジアーム１３に対してディスク回転方向の上流側に設置されているので、ディスク回転時にキャリッジアーム１３を横切る経路を辿っていたディスク６外周部又は外周部近傍を流れる空気の方向を、ディスク６の中心側に変更することができる。
【００３２】
図４は、ガイド部材１００を示した概観斜視図である。本図に示すように、ガイド部材１００は、内壁３ａと内接する曲率ｒ0の面と、ディスク６に近接する曲率ｒ1の案内面とを有している。また、案内面の曲率ｒ1は、内壁３ａと内接する面の曲率ｒ0より大きければどのような値でも良い。また、案内面と、ガイド部材１００に対してディスク回転方向の上流側にある内壁３ａの壁面とが連続する面を形成するように、ガイド部材１００を内壁３ａ上に設置する。
【００３３】
図５は、ディスク６の外周部又は外周部近傍で流れる空気の方向をディスク６の中心側に変更するガイド部材１００を示した説明図である。本図に示すように、ディスク６を高速回転させることで、ディスク回転方向５０１に空気の流れが生じる。そして、従来のガイド部材１００が備えられていないＨＤＤでは、ディスク６の外周部又は外周部近傍において点線矢印５０２方向に空気が流れていた。
【００３４】
これに対し、本実施の形態にかかるＨＤＤ１は、内壁３ａに沿ってディスク６の外周部又は外周部近傍で流れる空気の方向を、ガイド部材１００の案内面に沿わせてディスク６の中心側に変更することができる。つまり、図５において、ディスク回転方向に流れている空気は、ガイド部材１００によりディスクの中心側の方向５０３に変更されることとなる。このようにＨＤＤ１は、上述した形状のガイド部材１００を設けたことで、ディスク回転時の空気の方向を効率的に中心側に変更することができる。
【００３５】
ところで、ディスク６の回転時に発生する空気の流れの速度は、ディスク６の内周部から外周部に近づくにつれて速くなる。このため、ガイド部材１００の外周部の流れをディスク６の中心側の方向に変更すると、当該中心側の方向に変更された空気の流れの流体力で、より内周部で流れる空気もディスク６の中心側の方向に変更されることになる。
【００３６】
これにより、ディスク６に読み書きする時のキャリッジアーム１３を横切る流れの速度を大きく低減することができる。数値流体解析によれば、このようなガイド部材１００を設けることで、キャリッジアーム１３を横切る流れの速度を１０％以上低減できることを確認した。なお、数値流体解析の結果については後の実施の形態で詳述する。
【００３７】
また、上述したように本実施の形態では、ディスク回転時に流れる空気がキャリッジアーム１３を横切る直前に、ガイド部材１００を設けた。これは、内壁３ａに沿ってディスク６をほぼ一周して最も速度が高くなった状態の空気を、ディスク６の中心側の方向に変更するためである。このような位置にガイド部材１００を設置したことで、より効率的にキャリッジアーム１３を横切る空気の流速を低下させることができる。
【００３８】
但し、本実施の形態は、ガイド部材１００が設置される位置を上述した位置に制限するものではなく、ディスクの外周部又は外周部近傍における空気の流れをディスク中心側の方向に変更できるのであれば、どの位置に設置しても良い。これは、ガイド部材の位置にかかわらず、キャリッジアームに対してディスク回転方向上流側の空気の流れをディスク中心側に変更できるのであれば，キャリッジアームを横切る空気流速を低下させることができるためである。
【００３９】
そして、キャリッジアーム１３を横切る空気の流速が低下したので、キャリッジアーム１３を横切る空気の流れによる流体力が減少する。これにより、キャリッジアーム１３の振動が低減するので、キャリッジアーム１３が支持しているヘッド７のヘッド位置決め精度を向上させることができる。
【００４０】
また、上述した実施の形態に限定されるものではなく、以下に例示するような種々の変形が可能である。
【００４１】
（第１の実施の形態の変形例）
変形例１は、ガイド部材１００と、ベース３の内壁３ａとが一体として形成された例とする。これにより、本変形例１にかかるＨＤＤでは、内壁３ａで上述したガイド部材１００と同様の曲率の高い突起部を備えていることとなる。
【００４２】
本変形例のように内壁３ａに曲率の高い突起部を形成した場合でも空気の流れの方向をディスク中心側に変更することができる。つまり第１の実施の形態と同様の効果を得ることができる。また、ベース３とガイド部材１００を一体として形成することで、ＨＤＤ１の組み立て工数が減少させることができる。なお、後述した実施の形態で説明するガイド部材とベース３も同様に一体として形成しても良い。
【００４３】
（第２の実施の形態）
上述した第１の実施の形態は、ガイド部材の形状を、ケースの内壁の曲率より高い曲率の面を有する形状に制限するものではない。そこで、第２の実施の形態では、第１の実施の形態と異なる形状のガイド部材を用いた例について説明する。
【００４４】
図６は、本実施の形態にかかるＨＤＤ６００の概略平面図である。本図に示すように、ガイド部材６０１は、第１の実施の形態のガイド部材１００と同様の位置に配置されており、ガイド部材１００とは形状のみが異なる。なお、第２の実施の形態のＨＤＤ６００の構成で、第１の実施の形態のＨＤＤ１と共通の構成については、同じ符号を付してその説明を省略する。
【００４５】
図７は、ディスク６の外周部又は外周部近傍で流れる空気の方向をディスク６の中心側に変更するガイド部材６０１を示した説明図である。このガイド部材６０１は、流れる空気の方向をディスクの中心側に変更できればどのような形状でも良いが、本実施の形態ではディスク６の中心方向向きに凸形状で形成した例とする。
【００４６】
そして、ディスク６の回転時に、ディスク６の外周部及び外周部近傍でディスク回転方向に流れている空気は、ガイド部材６０１に衝突する。このガイド部材６０１は、ディスク６の中心方向に凸形状を形成しているので、衝突した空気はディスク６の中心側の方向７０１に導かれる。これにより、ディスク６の外周部又は外周部近傍の空気の流速が低下する。次に、空気の流速の数値流体解析結果について説明する。
【００４７】
図８は、ガイド部材６０１が設置されていない場合のディスク回転時における図６の領域６１１の空気による流速分布を示した図である。本図において流速はアルファベットＡ〜Ｈで示されることとし、流速Ａが最も遅く、流速Ｈが最も速いものとする。本図に示すように、キャリッジアーム１３近傍の領域では流速Ｆ〜Ｇが分布している。
【００４８】
図９は、ガイド部材６０１が設置された場合のディスク回転時における図６の領域６１１の空気による流速分布を示した図である。流速については図８と同様とする。本図に示すように、キャリッジアーム１３近傍の領域で流速Ｄ〜Ｆが分布している。
【００４９】
この図８及び図９を比較すると、ガイド部材６０１を設置することで、キャリッジアーム１３近傍の流速が全体的に低下していることが確認できる。数値流体解析結果の数値データによると、キャリッジアーム１３近傍における最大流速では、２０％以上低下している。このようにキャリッジアーム１３で空気の流速が低下しているので、キャリッジアーム１３の振動が低減することとなる。
【００５０】
上述した実施の形態では、ガイド部材６０１を一つ設置した場合について説明したが、キャリッジアーム１３に対してディスク回転方向の上流側にガイド部材を複数設置しても良い。複数設置した場合であっても、それぞれのガイド部材６０１が、流れる空気の方向をディスク中心側に変更できるので、ディスク回転方向の空気流速を低下させることができる。
【００５１】
（第３の実施の形態）
図１０は、第３の実施の形態にかかるＨＤＤ１０００の内部を示す平面図である。本図に示したＨＤＤ１０００は、第１の実施の形態にかかるＨＤＤ１とは、ガイド部材１００がガイド部材１００１に変更された点で異なる。なお、本実施の形態のＨＤＤ１０００の構成で、上述した実施の形態のＨＤＤと共通な構成については、同じ符号を付してその説明を省略する。
【００５２】
また、本実施の形態で示したＨＤＤ１０００では、ディスク６が複数備えられている。そして、複数のディスク６間では、ヘッド７を備えたキャリッジアーム１３が移動可能な領域が確保されている。そして、この領域においてもディスク回転時に空気の流れが生じ、キャリッジアーム１３を振動させている。
【００５３】
そこで、本実施の形態は、ＨＤＤ１０００のキャリッジアーム１３が移動可能な領域において、ガイド部材１００１がディスク６の面に延出した形状を有している例とする。
【００５４】
図１１は、図１０のＣ−Ｄにおける断面図である。本図に示すように、ガイド部材１００１の部位１００１ａ，１００１ｂ及び１００１ｃが、ディスク６の面に延出している。これらガイド部材１００１の部位１００１ａ，１００１ｂ及び１００１ｃは、磁気ディスク６ａの上部の領域、磁気ディスク６ａ及び磁気ディスク６ｂの間の領域、及び磁気ディスク６ｂの下部の領域で移動する各々のキャリッジアーム１３を横切る空気の流速をより効率的に低下させることができる。さらにガイド部材１００１ａ，１００１ｂ，１００１ｃがディスク側に延出していることにより、各ディスクは外周の一部がディスク両面からはさまれる形となる。この形はちょうどエアベアリングの効果をもたらし、ディスクがばたつくフラッタリング現象を抑制する効果も奏する。
【００５５】
なお、ガイド部材１００１の部位１００１ｂのディスク５の面に延出している突起形状の長さは、ＨＤＤ１２００の組み立ての妨げにならない程度であることが好ましい。
【００５６】
また、ガイド部材１００１は、ディスク６の外周部に近接する内壁３ａに接するように部位１００１ｄを備えている。そして、ガイド部材１００の部位１００１ｄは、ディスク６の外周部の外側を流れる空気の方向をディスク中心側に変更することができる。これにより、さらにキャリッジアーム１３を横切る空気の流速を低下させることができる。
【００５７】
なお、この発明は上述した実施の形態に限定されることなく、この発明の範囲内で更に種々変形可能である。例えば、上述した各実施の形態においては、ディスクドライブ装置として磁気ディスクを駆動するハードディスクドライブ装置（ＨＤＤ）に適用したが、これに限るものではなく、他のディスクを駆動するディスクドライブ装置にも適用可能である。
【産業上の利用可能性】
【００５８】
以上のように、本発明にかかるディスクドライブ装置は、ケーシングを改良する技術として有用であり、特に、ディスクが高速回転する場合に適している。
【図面の簡単な説明】
【００５９】
【図１】第１の実施の形態にかかるＨＤＤの内部を示す平面図である。
【図２】図１のＡ−Ｂにおける断面図である。
【図３】第１の実施の形態にかかるＨＤＤの内壁に設置されたガイド部材の説明する概略構成図である。
【図４】第１の実施の形態にかかるＨＤＤのガイド部材を示した概観斜視図である。
【図５】第１の実施の形態にかかるＨＤＤのディスクの外周部又は外周部近傍で流れる空気の方向をディスクの中心側に変更するガイド部材を示した説明図である。
【図６】第２の実施の形態にかかるＨＤＤの概略平面図である。
【図７】第２の実施の形態にかかるＨＤＤのディスクの外周部又は外周部近傍で流れる空気の方向をディスクの中心側に変更するガイド部材を示した説明図である。
【図８】ＨＤＤにガイド部材が設置されていない場合のディスク回転時における空気の流速分布を示した図である。
【図９】ＨＤＤにガイド部材が設置された場合のディスク回転時における空気の流速分布を示した図である。
【図１０】第３の実施の形態にかかるＨＤＤの内部を示す平面図である。
【図１１】図１０のＣ−ＤにおけるＨＤＤの断面図である。
【符号の説明】
【００６０】
１、６００、１０００  ＨＤＤ
２  ケース
２ａ  ディスク収納部
２ｂ  キャリッジ収納部
３  ベース
３ａ  内壁
３ｂ  底部
４  トップカバー
５  スピンドルモータ
６  ディスク
６ａ、６ｂ  磁気ディスク
７  磁気ヘッド部
８  キャリッジアッセンブリ
９  ＶＣＭ
１０  ランプロード機構
１１  基板ユニット
１２  軸受部
１３  キャリッジアーム
１４  サスペンション
１５  支持枠
１６  ボイスコイル
１７  ヨーク
１８  ランプ
１９  タブ
２０  内孔
２１  ハブ
２２  スピンドル軸
２３  円筒部
２４  軸受部
２５  ステータ
２６  磁石
２７  ディスク受け部
２８  スペーサリング
２９  ねじ
３０  ディスククランパ
１００、６０１、１００１  ガイド部材
３０１  凹形状
５０１  ディスク回転方向
５０２  従来の空気の流れ方向
５０３、７０１  ディスクの中心側の方向
６１１  領域
１００１ａ、１００１ｂ、１００１ｃ、１００１ｄ  ガイド部材の部位
【図１】
2007164870.tif 000003
【図２】
2007164870.tif 000004
【図３】
2007164870.tif 000005
【図４】
2007164870.tif 000006
【図５】
2007164870.tif 000007
【図６】
2007164870.tif 000008
【図７】
2007164870.tif 000009
【図８】
2007164870.tif 000010
【図９】
2007164870.tif 000011
【図１０】
2007164870.tif 000012
【図１１】
2007164870.tif 000013